(57)【要約】【課題】ステージへとパチンコ球を誘導する誘導口をセンターケースから所定間隔を隔てた遊技盤面に配設したパチンコ機のワープ機構を提供すること。【解決手段】パチンコ機のワープ機構は、異なる確率をもってパチンコ球を入球口１３に入球させる３つの通路をステージ２０に設けるとともに、かかるステージ２０に設けられた３つの通路のいずれか一つにパチンコ球を誘導する５つの誘導口（第１誘導口１０、一対の第２誘導口１２、一対の第３誘導口１１）とを備えている。そして、入球口１３や誘導口（第１誘導口１０、一対の第２誘導口１２、一対の第３誘導口１１）に対する、６箇所における遊技釘の調整によって、入球口１３の入球確率が調整される。【選択図】図１
2008149170.tif 000002
【特許請求の範囲】
【請求項１】
遊技盤面の遊技領域に配設される入球口と、
パチンコ球を前記入球口に入球させる通路を備えたステージと、
前記入球口に向かって前記通路に設けられ、前記通路上を転動するパチンコ球を前記ステージから前記入球口へと落下させる開口部と、
前記入球口の上方に配設され、前記ステージを内部に備えるセンターケースと、
前記センターケースから所定間隔を隔てた遊技盤面に配設される誘導口と、
前記誘導口と前記センターケース内の通路とを連通し、前記誘導口に入球したパチンコ球を前記センターケース内の通路へと導く誘導路と、を有することを特徴とするパチンコ機のワープ機構。
【請求項２】
前記センターケース内の通路は異なる確率をもってパチンコ球を前記入球口に入球させる複数の通路からなるとともに、前記開口部は前記入球口に向かって前記複数の通路に連設され、
前記各通路の開口部の大きさをもって、パチンコ球を前記入球口に入球させる各通路の確率が決定され、
前記開口部を介して前記複数の通路に渡って設けられ、前記通路上を転動するパチンコ球を前記入球口に案内する溝を備え、
前記溝の幅は前記入球口側へといくにつれて徐々に狭くなることを特徴とする請求項１に記載のパチンコ機のワープ機構。
【発明の詳細な説明】
【技術分野】
【０００１】
本発明は、入球口への入球確率を調整できるパチンコ機のワープ機構に関する。
【背景技術】
【０００２】
従来、パチンコ機のワープ機構の一つに、例えば、特開平７−８８２２７号公報に記載されたワープ機構がある。かかるワープ機構の斜視図を図１４に示す。図１４のワープ機構では、パチンコ球１００がワープ機構内に取り込まれると、流路変更手段１１８の振り分け皿１２１が第１位置に保持されている場合には、図１４に示すように、誘導口１１１から直接第１誘導路１１３の上流端に落下させられて、同図に矢印で示すように、この第１誘導路１１３上を転動しつつ、この第１誘導路１１３の中央部に形成されている幅広の排出路１１６へ導かれ、この排出路１１６からその下方に設けられている特定入賞口１０５へ向けて流下させられる。
【０００３】
ここで、第１誘導路１１３に形成されている排出路１１６は、前述のように幅広に形成されていること、また、ワープ機構内に取り込まれるパチンコ球１００が、誘導口１１１内に入る際の勢いや回転の違いによって、第１誘導路１１３を転動するパチンコ球１００の勢いが異なることにより、このパチンコ球１００は、排出路１１６内を、図１４に矢印に示すように、その幅方向にばらついた流下経路をとることとなる。そして、パチンコ球１００の勢いが適当であって、このパチンコ球１００が、前記排出路１１６に形成されている誘導溝１１７に入り込むと、パチンコ球１００がこの誘導溝１１７によって特定入賞口１０５の直上へ落下させられ、ほほ確実にこの特定入賞口１０５へ入賞させられるが、これ以外のパチンコ球１００は特定入賞口１０５の側部に流下させられて、入賞がなされない。したがって、第１誘導路１１３に落とし込まれたパチンコ球１００の特定入賞口１０５の入賞確率は低い。
【０００４】
また、流路変更手段１１８の振り分け皿１２１が第２位置に位置されている場合には、遊技球演出センサー１１２を通過させられたパチンコ球１００は、詳しくは図示しないが、振り分け皿１２１の球受け部に捕捉されたのちに、貫通孔を経て案内部へ送り込まれ、この案内部によって第２誘導路１１４の上流端へ落とし込まれる。この振り分け皿１２１の回転は、制御手段からの信号によって作動させられる駆動機構によって行われる。
【０００５】
このようにして第２誘導路１１４へ導かれたパチンコ球１００は、この第２誘導路１１４上を中央部に向けて転動させられ、この第２誘導路１１４に形成されている幅狭の排出路１１５へ落下させられるとともに、この排出路１１５によって、前記第１誘導路１１３の誘導溝１１７へ流下させられる。そして、前記排出路１１５は、パチンコ球１００とほぼ等しい幅に形成されていることから、この排出路１１５によって案内されて流下させられるパチンコ球１００の経路は、ほぼ１系統となり、前記誘導溝１１７に確実に誘導され、かつ、この誘導溝１１７に導かれたパチンコ球１００は、前述のように、その横振れが抑制されてほぼ確実に前記特定入賞口１０５へ入賞させられる。したがって、第２誘導路１１４へ導かれたパチンコ球１００の殆どが特定入賞口１０５へ入賞させられることとなり、その入賞確率が大幅に高められる。
【０００６】
このように、特開平７−８８２２２７号公報に記載されたワープ機構では、流路変更手段１１８の振り分け皿１２１の位置によって、特定入賞口１０５への入賞確率が容易に変更され、かつ、釘調整を行うことなく変更が可能である。また、駆動機構によって、遊技途中においても前記入賞確率の変更が可能となり、遊技条件の多様化が容易に図ることができる。
【発明の開示】
【発明が解決しようとする課題】
【０００７】
しかしながら、特定入賞口１０５の入賞確率の変更は、流路変更手段１１８の振り分け皿１２１の位置によって決まる選択的なものであるから、特定入賞口１０５の入賞確率をワープ機構で自在に調整することは困難であった。また、特定入賞口１０５の入賞確率はその生命釘で調整することは可能であるが、その生命釘に落下するパチンコ球１００の殆どが第１誘導路１１３の誘導溝１１７からのものであること、その生命釘は遊技者が狙い打ちできない位置にあることなどを考慮すれば、特定入賞口１０５の入賞確率をその生命釘で調整しようとしても、流路変更手段１１８の振り分け皿１２１の位置によって決まる入賞確率の範囲内でしか調整できない。
【０００８】
すなわち、遊技店側からすれば、遊技価値の高い特定入賞口１０５の入賞確率は、ホールの経営戦略上、遊技客に有利なように高く設定したり、遊技客に不利なように低く設定したりするものであって、その調整の自由度は広く確保したいものである。しかし、流路変更手段１１８の振り分け皿１２１の位置によって、特定入賞口１０５の入賞確率は選択的にほぼ決定してしまい、その調整の自由度は極めて狭いものであるから、従来技術のワープ機構は遊技店側にとって経営上都合が悪いものであった。
【０００９】
そこで、本発明は、上述した問題点を解決するためになされたものであり、遊技価値の高い入球口への入球確率に対し調整範囲が広く確保されたパチンコ機のワープ機構を提供することを目的とする。
【課題を解決するための手段】
【００１０】
この目的を達成するために成された請求項１に係るパチンコ機のワープ機構は、遊技盤面の遊技領域に配設される入球口と、パチンコ球を前記入球口に入球させる通路を備えたステージと、前記入球口に向かって前記通路に設けられ、前記通路上を転動するパチンコ球を前記ステージから前記入球口へと落下させる開口部と、前記入球口の上方に配設され、前記ステージを内部に備えるセンターケースと、前記センターケースから所定間隔を隔てた遊技盤面に配設される誘導口と、前記誘導口と前記センターケース内の通路とを連通し、前記誘導口に入球したパチンコ球を前記センターケース内の通路へと導く誘導路と、を有することを特徴とする。
【００１１】
また、請求項２に係るパチンコ機のワープ機構は、請求項１に記載のパチンコ機のワープ機構であって、前記センターケース内の通路は異なる確率をもってパチンコ球を前記入球口に入球させる複数の通路からなるとともに、前記開口部は前記入球口に向かって前記複数の通路に連設され、前記各通路の開口部の大きさをもって、パチンコ球を前記入球口に入球させる各通路の確率が決定され、前記開口部を介して前記複数の通路に渡って設けられ、前記通路上を転動するパチンコ球を前記入球口に案内する溝を備え、前記溝の幅は前記入球口側へといくにつれて徐々に狭くなることを特徴とする。
【００１２】
このような構成を有する本発明のパチンコ機のワープ機構では、センターケースから所定間隔を隔てた遊技盤面に誘導口を設け、誘導口に入球したパチンコ球は通路上に誘導され、通路から入球口に向かって落下する。従って、遊技球の入賞経路に変化を与えることが可能となる。
【００１３】
このとき、遊技盤に打たれた遊技釘の影響を考慮しなければ、入球口に向かって落下したパチンコ球が入球する確率は、そのパチンコ球がどの通路の開口部から落下したかで、推知できる。
【００１４】
また、誘導口、誘導路及びセンターケース内の通路を複数セット設けた場合には、パチンコ球がどの誘導口に入球したかによって、パチンコ球の入球確率を推知できる。さらに、各誘導口に入球する確率の全てを考慮すれば、入球口にパチンコ球が入球する入球率を固有値として推知することができる。そして、かかる入球率は、入球口自身や各誘導口に対する遊技釘の調整によって、自在に調整される。
【００１５】
すなわち、本発明のパチンコ機のワープ機構は、遊技価値の高い入球口にパチンコ球が入球する入球率に対し、入球口自身や誘導口に対する遊技釘の調整をもって、自在に調整することができるとともに、かかる遊技釘での調整は複数箇所存在することから、その調整範囲を広く確保することができる。
【００１６】
また、入球口に向かって連設された各通路に渡って、各通路上を転動するパチンコ球を入球口に案内する溝を設けるので、遊技価値の高い入球口にパチンコ球が入球する入球率を比較的大きな値で確保できる。
【発明の効果】
【００１７】
本発明のパチンコ機のワープ機構は、遊技価値の高い入球口にパチンコ球が入球する入球率に対し、入球口自身や各誘導口に対する遊技釘の調整をもって、自在に調整することができるとともに、かかる遊技釘での調整は複数箇所存在することから、その調整範囲を広く確保することができる。
【００１８】
また、入球口に向かって連設された各通路に渡って、各通路上を転動するパチンコ球を入球口に案内する溝を設けるので、遊技価値の高い入球口にパチンコ球が入球する入球率を比較的大きな値で確保できる。
【発明を実施するための最良の形態】
【００１９】
以下、本発明の実施の形態を図面を参照にして説明する。先ず、第１実施の形態のパチンコ機のワープ機構について、図１〜図７を用いて説明する。図７に示すように、第１実施の形態のパチンコ機のワープ機構は、遊技盤１のセンター役物として使用されている。図１に、第１実施の形態のパチンコ機のワープ機構付近を拡大した図を示す。
【００２０】
第１実施の形態のパチンコ機のワープ機構は、異なる確率をもってパチンコ球を入球口１３に入球させる３つの通路をステージ２０に設けるとともに、かかるステージ２０に設けられた３つの通路のいずれか一つにパチンコ球を誘導する５つの誘導口１０、１１、１２とを備え、入球口１３や誘導口１０、１１、１２に対する遊技釘の調整によって入球口１３の入球確率が調整されるものである。
【００２１】
入球口１３は、それにパチンコ球が入球すると、図柄表示装置２が変動開始し、一定時間の経過又は押しボタンスイッチの押し下げによってその変動表示が停止し、その表示結果が特定の図柄の組合せとなった場合に可動入賞装置３（図７参照）が設定された開放パターンに基づいて開放される。すなわち、入球口１３は、１種パチンコ機の始動入賞口に相当する遊技価値の高いものであるので、その入球確率は、ホールの経営戦略上、遊技客に有利なように高く設定したり、遊技客に不利なように低く設定したりされるものであって、その調整の自由度は広く確保されるものである。
【００２２】
ここで、ステージ２０に設けられた３つの通路について、図４〜図６を参照にしながら説明する。ステージ２０には、第１仕切板２４、第２仕切板２５、第３仕切板２６により、第１通路２１、第２通路２２、第３通路２３の３つの通路が設けられている。第１仕切板２４、第２仕切板２５、第３仕切板２６の各中央には、第１通路の開口部２４Ａ、第２通路の開口部２５Ａ、第３通路の開口部２６Ａが、下側にある入球口１３（図１参照）に向かって連設されている。
【００２３】
そして、ステージ２０は手前側を下方にして傾いており、例えば、第１通路２１上を転動するパチンコ球５０は、第１通路の開口部２４Ａ、第２通路の開口部２５Ａ、第３通路の開口部２６Ａを介して、パチンコ球５３のように、入球口１３（図１参照）に向かって落下する。また、第２通路２２上を転動するパチンコ球は、第２通路の開口部２５Ａ、第３通路の開口部２６Ａを介して、パチンコ球５３のように、入球口１３（図１参照）に向かって落下する。また、第３通路２３上を転動するパチンコ球は、第３通路の開口部２６Ａを介して、パチンコ球５３のように、入球口１３（図１参照）に向かって落下する。
【００２４】
入球口１３（図１参照）に向かってパチンコ球が落下する第１通路の開口部２４Ａ、第２通路の開口部２５Ａ、第３通路の開口部２６Ａは、ステージ２０の中央である線Ｃ−Ｃに対して左右対称であり、その記載順に大きくなっている。尚、ステージ２０の中央である線Ｃ−Ｃは、入球口１３（図１参照）の中央をも通っている。従って、第１通路２１、第２通路２２、第３通路２３の３つの通路は、異なる確率をもってパチンコ球を入球口１３（図１参照）に入球させることができるものである。その記載順に確率は小さくなる。
【００２５】
第１通路２１、第２通路２２、第３通路２３の３つの通路にパチンコ球を転動させるためには、それぞれ特定の誘導口にパチンコ球を入球させなければいけない。第１通路２１にパチンコ球を転動させるためには、第１誘導口１０（図１参照）にパチンコ球を入球させなければいけない。第２通路２２にパチンコ球を転動させるためには、一対の第２誘導口１２にパチンコ球を入球させなければいけない。第３通路２３にパチンコ球を転動させるためには、一対の第３誘導口１１にパチンコ球を入球させなければいけない。
【００２６】
次に、これらの誘導口１０、１１、１２がそれぞれ特定の通路にパチンコ球を誘導する仕組みについて、図２、図３を用いて説明する。図２は、第１実施の形態のパチンコ機のワープ機構を、図１の線Ａ−Ａで切断した断面図である。図２に示すように、第２誘導口１２に入球したパチンコ球５２は、遊技盤１（図７参照）の裏側にある第２誘導路２８によって、第２通路２２上に誘導される。右側の第２誘導口１２に入球したパチンコ球５２は、遊技盤１（図７参照）の裏側にある第２誘導路２８によって、第２通路２２上に右側から誘導される。同様にして、左側の第２誘導口１２に入球したパチンコ球５２は、遊技盤１（図７参照）の裏側にある第２誘導路２８によって、第２通路２２上に左側から誘導される。
【００２７】
図３は、第１実施の形態のパチンコ機のワープ機構を、図１の線Ｂ−Ｂで切断した断面図である。図３に示すように、第１誘導口１０に入球したパチンコ球５０は、遊技盤１（図７参照）の裏側にある第１誘導路２７によって、第２通路２２上に誘導される。また、第３誘導口１１に入球したパチンコ球５１は、遊技盤１（図７参照）の裏側にある第３誘導路２９によって、第３通路２３上に誘導される。右側の第３誘導口１１に入球したパチンコ球５１は、遊技盤１（図７参照）の裏側にある第３誘導路２９によって、第３通路２３上に右側から誘導される。同様にして、左側の第３誘導口１１に入球したパチンコ球５１は、遊技盤１（図７参照）の裏側にある第３誘導路２９によって、第３通路２３上に左側から誘導される。
【００２８】
次に、第２実施の形態のパチンコ機のワープ機構について、図８〜図１０を用いて説明する。溝３０が設けられていることを除いては、第１実施の形態のパチンコ機のワープ機構と同じである。すなわち、入球口１３（図１参照）に向かって連設された第１通路の開口部２４Ａ、第２通路の開口部２５Ａ、第３通路の開口部２６Ａの各開口部に渡って、第１通路２１、第２通路２２、第３通路２３の各通路上を転動するパチンコ球を入球口１３（図１参照）に案内する溝３０が設けられている。
【００２９】
かかる溝３０は、第１通路の開口部２４Ａから第３通路の開口部２６Ａに向かって細くなっているので、第１通路２１、第２通路２２、第３通路２３の３つの通路がそれぞれもつ、パチンコ球を入球口１３（図１参照）に入球させることができる確率の差を、さらに大きくする。なぜなら、第１通路２１上を転動するパチンコ球５４は、幅広の溝３０で容易に捕捉され、幅狭の第１通路の開口部２４ＡでＳの落下方向が安定するから、パチンコ球５５のようにして、入球口１３（図１参照）に向かって確実に落下させることができる。それに比べ、第３通路２３上を転動するパチンコ球は、幅狭の溝３０で捕捉するのは困難であり、幅広の第３通路の開口部２６Ａでは落下方向が不安定であるから、入球口１３（図１参照）に向かって確実に落下することができないからである。
【００３０】
次に、第３実施の形態のパチンコ機のワープ機構について、図８〜図１０を用いて説明する。ステージ４０に設けられた第１仕切板４４、第２仕切板４５、第３仕切板４６の形状を除いては、第１実施の形態のパチンコ機のワープ機構と同じである。すなわち、ステージ４０には、第１仕切板４４、第２仕切板４５、第３仕切板４６により、第１通路４１、第２通路４２、第３通路４３の３つの通路が設けられている。第１仕切板４４、第２仕切板４５、第３仕切板４６の各中央には、第１通路の開口部４４Ａ、第２通路の開口部４５Ａ、第３通路の開口部４６Ａが、下側にある入球口１３（図１参照）に向かって連設されている。
【００３１】
そして、ステージ４０は手前側を下方にして傾いており、例えば、第１通路４１上を転動するパチンコ球６０は、第１通路の開口部４４Ａ、第２通路の開口部４５Ａ、第３通路の開口部４６Ａを介して、パチンコ球６１のように、入球口１３（図１参照）に向かって落下する。また、第２通路４２上を転動するパチンコ球は、第２通路の開口部４５Ａ、第３通路の開口部４６Ａを介して、パチンコ球６１のように、入球口１３（図１参照）に向かって落下する。また、第３通路４３上を転動するパチンコ球は、第３通路の開口部４６Ａを介して、パチンコ球６１のように、入球口１３（図１参照）に向かって落下する。
【００３２】
入球口１３（図１参照）に向かってパチンコ球が落下する第１通路の開口部４４Ａ、第２通路の開口部４５Ａ、第３通路の開口部４６Ａは、ステージ４０の中央である線Ｅ−Ｅに対して左右対称であり、その記載順に大きくなっている。尚、ステージ４０の中央である線Ｅ−Ｅは、入球口１３（図１参照）の中央をも通っている。従って、第１通路４１、第２通路４２、第３通路４３の３つの通路は、異なる確率をもってパチンコ球を入球口１３（図１参照）に入球させることができるものである。その記載順に確率は小さくなる。
【００３３】
そして、第１実施の形態のパチンコ機のワープ機構の第１仕切板２４、第２仕切板２５、第３仕切板２６と比べ、第１仕切板４４、第２仕切板４５、第３仕切板４６の形状は、下方に向かって湾曲しており、第１通路の開口部４４Ａ、第２通路の開口部４５Ａ、第３通路の開口部４６Ａの各開口部付近を転動するパチンコ球が遊技客にとって見やすくなっている。
【００３４】
以上詳細に説明したように、第１実施の形態と第２実施の形態のパチンコ機のワープ機構では、５つの誘導口（第１誘導口１０、一対の第２誘導口１２、一対の第３誘導口１１）と３つの通路（第１通路２１、第２通路２２、第３通路２３）を備えており、ある誘導口（第１誘導口１０、一対の第２誘導口１２、一対の第３誘導口１１）に入球したパチンコ球は必ず特定の通路（第１通路２１、第２通路２２、第３通路２３）上に誘導され、その通路の開口部（第１通路の開口部２４Ａ、第２通路の開口部２５Ａ、第３通路の開口部２６Ａ）を介して、一つの入球口１３に向かって落下する。
【００３５】
このとき、遊技盤１に打たれた遊技釘の影響を考慮しなければ、入球口１３に向かって落下したパチンコ球が入球する確率は、そのパチンコ球が第１通路の開口部２４Ａ、第２通路の開口部２５Ａ、第３通路の開口部２６Ａのどの通路の開口部から落下したかで、推知できる。なぜなら、第１通路の開口部２４Ａ、第２通路の開口部２５Ａ、第３通路の開口部２６Ａの各通路の開口部の大きさをもって、パチンコ球を入球口１３に入球させる第１通路２１、第２通路２２、第３通路２３の各通路の確率が決定されるからである。さらに、上述したように、ある誘導口（第１誘導口１０、一対の第２誘導口１２、一対の第３誘導口１１）に入球したパチンコ球は必ず特定の通路（第１通路２１、第２通路２２、第３通路２３）上に誘導され、その通路の開口部（第１通路の開口部２４Ａ、第２通路の開口部２５Ａ、第３通路の開口部２６Ａ）を介して、入球口１３に向かって落下するので、入球口１３に向かって落下したパチンコ球が入球する確率は、そのパチンコ球がどの誘導口（第１誘導口１０、一対の第２誘導口１２、一対の第３誘導口１１）に入球したかで、推知できる。
【００３６】
よって、第１実施の形態と第２実施の形態のパチンコ機のワープ機構内に取り込まれたパチンコ球は、そのパチンコ球がどの誘導口（第１誘導口１０、一対の第２誘導口１２、一対の第３誘導口１１）に入球したかで、そのパチンコ球が入球口１３に入球する確率を推知できる。さらに、各誘導口（第１誘導口１０、一対の第２誘導口１２、一対の第３誘導口１１）に入球する確率の全てを考慮すれば、入球口１３にパチンコ球が入球する入球率を固有値として推知することができる。そして、かかる入球率は、入球口１３自身や各誘導口（第１誘導口１０、一対の第２誘導口１２、一対の第３誘導口１１）に対する遊技釘の調整によって、自在に調整される。
また、第３実施の形態のパチンコ機のワープ機構についても、同様である。
【００３７】
すなわち、本実施の形態のパチンコ機のワープ機構は、遊技価値の高い入球口１３にパチンコ球が入球する入球率に対し、入球口１３自身や各誘導口（第１誘導口１０、一対の第２誘導口１２、一対の第３誘導口１１）に対する遊技釘の調整をもって、自在に調整することができるとともに、かかる遊技釘での調整は６箇所存在することから、その調整範囲を広く確保することができる。
【００３８】
また、第２実施の形態のパチンコ機のワープ機構は、入球口１３に向かって連設された第１通路の開口部２４Ａ、第２通路の開口部２５Ａ、第３通路の開口部２６Ａの各通路の開口部に渡って、第１通路２１、第２通路２２、第３通路２３の各通路上を転動するパチンコ球を入球口１３に案内する溝３０を設けているので、遊技価値の高い入球口１３にパチンコ球が入球する入球率を比較的大きな値で確保できる。
【００３９】
尚、本発明は上記実施の形態に限定されるものでなく、その趣旨を逸脱しない範囲で様々な変更が可能である。
例えば、本実施の形態のパチンコ機のワープ機構では、異なる確率をもってパチンコ球を入球口１３に入球させる通路の総数は３つであり、それらの通路のいずれか一つにパチンコ球を誘導する誘導口の総数は５つであるが、誘導口に入球したパチンコ球が必ず特定の通路上に誘導されるならば、それらの総数の組合せはこれに限定されることはない。
【図面の簡単な説明】
【００４０】
【図１】第１実施の形態のパチンコ機のワープ機構を示した正面図である。
【図２】図１の線Ａ−Ａで切断した第１実施の形態のパチンコ機のワープ機構を示した断面図である。
【図３】図１の線Ｂ−Ｂで切断した第１実施の形態のパチンコ機のワープ機構を示した断面図である。
【図４】第１実施の形態のパチンコ機のワープ機構のステージを示した上面図である。
【図５】第１実施の形態のパチンコ機のワープ機構のステージを示した正面図である。
【図６】図４と図５の線Ｃ−Ｃで切断した第１実施の形態のパチンコ機のワープ機構のステージを示した断面図である。
【図７】第１実施の形態のパチンコ機のワープ機構を使用したパチンコ機の遊技板を示した正面図である。
【図８】第２実施の形態のパチンコ機のワープ機構のステージを示した上面図である。
【図９】第２実施の形態のパチンコ機のワープ機構のステージを示した正面図である。
【図１０】図８と図９の線Ｄ−Ｄで切断した第２実施の形態のパチンコ機のワープ機構のステージを示した断面図である。
【図１１】第３実施の形態のパチンコ機のワープ機構のステージを示した上面図である。
【図１２】第３実施の形態のパチンコ機のワープ機構のステージを示した正面図である。
【図１３】図１１と図１２の線Ｅ−Ｅで切断した第３実施の形態のパチンコ機のワープ機構のステージを示した断面図である。
【図１４】従来技術のパチンコ機のワープ機構を示した斜視図である。
【符号の説明】
【００４１】
１０…第１誘導口、１１…第３誘導口、１２…第２誘導口、１３…入球口、２１，４１…第１通路、２２，４２…第２通路、２３，４３…第３通路、２４Ａ，４４Ａ…第１通路の開口部，２５Ａ，４５Ａ…第２通路の開口部、２６Ａ，４６Ａ…第３通路の開口部，３０…溝、５０，５１，５２，５３，５４，５５，６０，６１…パチンコ球
【図１】
2008149170.tif 000003
【図２】
2008149170.tif 000004
【図３】
2008149170.tif 000005
【図４】
2008149170.tif 000006
【図５】
2008149170.tif 000007
【図６】
2008149170.tif 000008
【図７】
2008149170.tif 000009
【図８】
2008149170.tif 000010
【図９】
2008149170.tif 000011
【図１０】
2008149170.tif 000012
【図１１】
2008149170.tif 000013
【図１２】
2008149170.tif 000014
【図１３】
2008149170.tif 000015
【図１４】
2008149170.tif 000016